(57)【要約】  シャープペンシル（１）繰り出し機構は、管状体（２）の長手方向軸（Ｘ）に対して平行にスライドする押圧装置（６）によって作動する。該押圧装置の内側部分（１１）は、管状体（２）の中に挿入されており、芯を格納する芯貯蔵部（１６）の後端（１６ａ）を支持する。該管状体の後端側（２ａ）には、該押圧装置を保持する環状壁（３１）が、二つの長手方向凹部と共に形成されており、この二つの長手方向凹部は、好ましくは内側表面（３１ａ）上の二つのスリットであって、各凹部は、内側表面（３１ａ）の残りの部分に対して半径方向内側に突出したタブによって画定された後縁を有している。内側部分（１１）の外側表面（ｆ２）上の突起（２２）は、該タブの前部分に対して止まるように半径方向外側に突出しており、これにより、押圧装置（６）の内側部分（１１）は管状体（２）の内側に保持される。
2015513490.tif 000002
【特許請求の範囲】
【請求項１】
第一開口（７）を有する後端（２ａ）と、第二開口（３ｂ）を有する前端（２ｂ）との間を、長手方向軸（Ｘ）に沿って延びる管状体（２）と、第二開口（３ｂ）を通って外部に移動する芯（５）と、管状体（２）の内部に配された芯を、繰り出すための機構とを備えたシャープペンシル（１）であって、繰り出し機構（１５）は、
長手方向軸（Ｘ）に対して平行にスライドするのに適しており、管状体（２）に対して外方向に延びる外側部分と、第一開口（７）を通って管状体（２）の中に挿入された内側部分（１１）とを備える押圧装置（６）と、
管状体（２）の前端（２ｂ）側に位置し、締め付け位置において、芯（５）の上に締め付けられることができる、チャック（１７）と、
押圧装置（６）の内側部分（１１）によって囲まれた後端（１６ａ）と、該押圧装置が該前端に向かってスライドする際、チャック（１７）を移動させるのに適した前端（１６ｂ）とを有する、少なくとも一本の芯を格納するための、長手方向軸（Ｘ）に沿って延びる芯貯蔵部とを備えており、
管状体（２）は、その後端（２ａ）において押圧装置（６）の保持のための環状壁（３１）を有し、環状壁（３１）は、内側表面（３１ａ）上に、好ましくは二つのスリット（３１ｂ、３１ｃ）である、二つの長手方向凹部を備え、各長手方向凹部は、環状壁（３１）の内側表面（３１ａ）の残りの部分に対して半径方向内側に突出するタブ（Ｒ１、Ｒ２）によって画定された後縁を有することを特徴とし、かつ  
押圧装置（６）の内側部分（１１）は、管状壁を備え、該管状壁は、
芯貯蔵部（１６）の後端（１６ａ）の取り付け部を提供する内側表面（ｆ１）と、
少なくとも一つの突起（２２）が半径方向外側に突出する外側表面（ｆ２）であって、突起（２２）は、第二開口（３ｂ）に向かって、タブ（Ｒ１、Ｒ２）の前に配置されており、該タブに接して止まるのに適しており、これにより押圧装置（６）の内側部分（１１）は管状体（２）の中に保持される、外側表面（ｆ２）とを有していることを特徴とするシャープペンシル（１）。
【請求項２】
前記長手方向凹部は、直径方向に対向する二つのスリット（３１ｂ、３１ｃ）であって、これら二つのスリット（３１ｂ、３１ｃ）の内少なくとも一つは、タブ（Ｒ１、Ｒ２）の内一つによって画定された後端を有するリブ（３２、３３）を通って、半径方向内側に開口しており、リブ（３２、３３）は、タブ（Ｒ１、Ｒ２）から前端（３２ａ、３３ａ）まで長手方向軸（Ｘ）に対してほぼ平行に延びている、請求項１に記載のシャープペンシル。
【請求項３】
押圧装置（６）は、消しゴム（Ｅ）を格納するための一つの部品からなる消しゴム保持部（Ｈ）を備え、該消しゴム保持部は、
内側部分（１１）と、
消しゴム（Ｅ）を格納するための空洞（１３）を画定するように、底部（２８）と、底部（２８）から後方開口までの、長手方向軸（Ｘ）の周囲をほぼ環状に延びる壁とを備える取り付け部材（１２）であって、内側部分（１１）を延長し、前記外側表面の一部を形成している取り付け部材（１２）と、
取り付け部材（１２）の底部（１２ａ）を横断し、芯貯蔵部（１６）の中に直接開口している、通路孔（４２）とを備えている、請求項１または請求項２に記載のシャープペンシル。
【請求項４】
内側部分（１１）の前記環状壁は、取り付け部材（１２）の底部（２８）と対向する軸方向開口（２７）を有し、底部（２８）と軸方向開口（２７）の間で、芯貯蔵部（１６）の後端（１６ａ）を受けるための空洞（２６）を画定しており、該空洞は該軸方向開口の近くで幅広くなっている、請求項３に記載のシャープペンシル。
【請求項５】
突起２２が、内側部分（１１）の前記環状壁の外周上を連続的に延びる環状リブである、請求項１から４のいずれか一項に記載のシャープペンシル。
【請求項６】
管状体（２）が、
長手方向軸（Ｘ）の周囲を、長手方向に延び、押圧装置（６）の長さよりさらに大きい長さを有する、管状の筒部（２０）と、
筒部（２０）の延長部に配置され、タブ（Ｒ１、Ｒ２）を含む環状保持壁（３１）を備える取り外し可能なクリップ保持部３０であって、管状体（２）の後端（２ａ）を形成するこのクリップ保持部（３０）内に、押圧装置（６）がスライド可能に取り付けられる、クリップ保持部（３０）とを備える、請求項１から５のいずれか一項に記載のシャープペンシル。
【請求項７】
クリップ保持部（３０）が、
筒部（２０）の軸方向延長部の中に配置され、クリップ（Ｃ）を受けるのに適した後方片（３４）と、
長手方向軸（Ｘ）の周囲を延びるほぼ管形状で、筒部（２０）の中に同軸上に挿入された前方片（３６）であって、外側ねじ（３１ｃ）を備え、芯貯蔵部（１６）の周囲を、これから距離をあけて延びる筒部（２０）へ取り付けられるための環状部分（３６ａ）を備える、該前方片（３６）とを備えている、請求項６に記載のシャープペンシル。
【請求項８】
前方片（３６）がさらに、環状取り付け部分（３６ａ）の延長部に配置されたほぼ環状形状の末端部（３０ｄ）を備え、末端部（３０ｄ）は、芯貯蔵部（１６）の周囲に配置された被覆管（２１）と接触する環状縁と、第一開口（７）の内側直径（Ｄ７）より少なくとも３０％小さい内側直径（Ｄ２）を有する軸方向孔（３７）とを有する、請求項７に記載のシャープペンシル。
【請求項９】
クリップ保持部（３０）が、筒部（２０）の後縁（２０ａ）と接触する外側肩部（３０ａ）と、押圧装置（６）の前記管状壁の上に形成された外側肩部（１１ａ）から軸方向に横断する内側肩部（３０ｂ）とを備えている、請求項６から８のいずれか一項に記載のシャープペンシル。
【請求項１０】
二つの長手方向凹部が、クリップ保持部（３０）の内側肩部（３０ｂ）と押圧装置（６）の前記管状壁の上に形成された外側肩部（１１ａ）との間の距離（ｄ）よりも長い距離（ｄ１）を超えて長手方向に延び、該二つの長手方向凹部がクリップ保持部（３０）の窓を形成する、請求項９に記載のシャープペンシル。
【発明の詳細な説明】
【技術分野】
【０００１】
本発明はシャープペンシルに関し、より具体的には、第一開口を有する後端と、芯が通って出てくることのできる第二開口を有する前端との間を、長手方向軸に沿って延びる管状体と、該管状体の内部に配された芯を、繰り出すための機構とを備えるシャープペンシルであって、該繰り出し機構は、
‐該長手方向軸に対して平行にスライドするのに適しており、該管状体に対して外方向に延びる外側部分と、該第一開口を通って該管状体の中に挿入された内側部分とを有する押圧装置と、
‐芯を締め付けることができる、該管状体の前端側に位置したチャックと、
‐少なくとも一本の芯を格納するための、該長手方向軸に沿って延びる芯貯蔵部であって、該押圧装置の該内側部分によって囲まれた後端と、該押圧装置が前端に向かってスライドする際、該チャックを動かすのに適した前端とを有する、該芯貯蔵部とを備えている。
【背景技術】
【０００２】
上記の種類のシャープペンシルは、該押圧装置にかかる軸圧力に反応して、該管状体に対して芯をスライドさせることにより、芯の前端の損耗を補うものであり、ここで、該締め付けチャックは、その後、周知の方法により、該芯によってとられた新たな位置を固定するものである。該芯貯蔵部の中に芯を補充する作業の際、使用者は、該芯貯蔵部よりも通常は狭く、従来は押圧装置の中に形成された中央開口を通って、芯をただスライドさせなければならない。通常、取り外し可能な消しゴムが、該押圧装置の上に取り付けられ、シャープペンシルの操作構造の中の、この中央開口を覆っている。
【０００３】
一例として、特許文献１または同文献に対応する特許文献２には、消しゴム保持部と、消しゴムカバーを備えてもよい消しゴムキャップとからなり、円筒形の筒部の中にスライド可能に取り付けられた押圧装置を含む、シャープペンシルが開示されている。こうしたタイプの押圧装置によって、繰り出し機構の作動、及び、消す作業を容易に行うことができる。
【先行技術文献】
【特許文献】
【０００４】
【特許文献１】米国特許第５，３５４，１４１号明細書
【特許文献２】国際公開第９２／１５４６２号
【０００５】
前記押圧装置の内側部分は、前記芯貯蔵部に係合可能であり、該芯貯蔵部の直径は、前記管状体の内径と比較して小さくなっている。押圧動作により、該芯貯蔵部を前方に動かすために、該芯貯蔵部の後端の環状周縁において、軸方向に止まる。該管状体よりも著しく狭い芯貯蔵部であることにより、消しゴムを取り出すことや、繰り出し機構の把持領域で、新しい芯を素早く中心に置くことが有利となる。
【発明の概要】
【発明が解決しようとする課題】
【０００６】
上記文献に記載されたシャープペンシルでは、前記押圧装置の内側部分には、該押圧装置を保持する止め具を形成するために、内側肩部または筒部の窓と係合する一個または数個の突出タブを備えた、弾性的に変形可能な先細部が備えられている。しかしながら、該押圧装置の内側部分の柔軟性による難点は、例えば、組み立て工程時または著しい力が該押圧装置に作用するとき（例えば、強い力で消すときなど）、この内側部分の変形可能部分が壊れやすくなることである。このため該押圧装置が筒部から外れ、失くしてしまうという危険性がある。
【０００７】
本発明の目的は、押圧装置の破損の危険性を減らし、使用者に快適な操作性を優先的に提供するシャープペンシルを提案することである。
【課題を解決するための手段】
【０００８】
上記目的のために、本発明によるシャープペンシルは、押圧装置保持のための環状壁を、その後端に有し、該環状壁は、二つの長手方向の凹部、好ましくはその後縁に二つのスリットを備えた内側表面を有し、この二つの凹部またはスリットは、前記環状部の内側表面の残りの部分に対して半径方向内向きに突出しているタブによって画定されており、ここで、該押圧装置の該内側部分は、管状壁を備えており、該管状壁は、
‐芯貯蔵部の後端を取り付けるための内側表面と（芯貯蔵部が、押圧装置の前方及び後方への動きに伴って、緊密に動くように）、
‐少なくとも一つの突起が半径方向外側に突出する外側表面であって、該突起は前記タブの前に位置し、前記タブに接して止まるのに適しており、このタブにより、押圧装置の内側部分は、該管状体の内側に保持される、該外側表面とを有している。
【０００９】
芯貯蔵部の後端における把持による支持機能と、該押圧装置の内側部分の領域において、該管状体の該タブに対して停止する機能とは、従って、脆弱な可動部品を用いることなく、組み合わせることができる。タブが、間隔を空けられて、環状の保持部分の外縁の僅かな部分に配置されていることを考慮すると、該管状体への該押圧装置の挿入は、変わらず容易である。これらの構成により、より賢固な押圧装置は、かなりの程度に堅牢なものとなり、誤っても外れてしまうことがない。
【００１０】
留意すべきであることに、芯貯蔵部の後端が押圧装置を直接把持することより、押圧装置内に形成された芯貯蔵部アクセス経路に、芯貯蔵部をより近づけることができ、この経路はそのため、芯貯蔵部と同じ大きさの直径を有することができる。それ故に、芯貯蔵部と接触していない押圧装置（ここでは芯の挿入は必然的により細心の注意を要する）を用いた場合と比較すると、使用者は、補充芯を芯貯蔵部の中に、より容易に挿入することができる。
【００１１】
一つの特徴によれば、該長手方向の凹部は、直径方向に対向する二つのスリットを有しており、この二つのスリットの少なくとも一つは、複数のタブの一つによって画定された後端を有するリブを通じて半径方向内側に開口し、また該リブは、長手方向軸とほぼ平行に該タブから前端にかけて延びている。係止するために柔軟な領域を用いることは、該二つのタブをそれぞれリブ内の凹部によって形成することによって避けられることが理解できる。これにより、該押圧装置の内側部分の上の突出している突起の柔軟性を非常に低くすることができる（係止時、後部からの組み立てをより容易にする斜角の表面を使用が優先され、突起と該二つのタブを軽く圧迫することにより、該内側部分を挿入することができる）。
【００１２】
一つの特徴によれば、芯貯蔵部の後端は、管状壁の内側表面上に形成された長手方向リブと接触している。リブを使用することで、この後端の内側部分への挿入がより容易となり、芯貯蔵部はより容易に挿入空洞の底部に達することができる。
【００１３】
別の特徴によれば、該押圧装置は、消しゴムを格納するための部品からなる消しゴム保持部を備え、この消しゴム保持部は、
‐内側部分と、
‐底部と壁部を備える取り付け部材であって、該壁部は、長手方向軸の周りを該底部から後方開口までほぼ環状に延びており、消しゴムを格納するための空洞を画定し、該取り付け部材は該内側部分を延長し、外側部分の一部を形成する、取り付け部材と、
‐該取り付け部材の底部を横断し、芯貯蔵部に直接開口している経路孔（これにより、芯貯蔵部に補充することが容易となる）とを備えている。
【００１４】
本発明によるシャープペンシルの様々な実施例中で、以下の規定のうち、一つ及び／または複数がさらに利用されてもよい。
‐内側部分の管状壁は、該取り付け部材の底部とは反対側に軸方向開口を有し、前記底部と該軸方向開口との間で、芯貯蔵部の後端を受けるための空洞を画定し、このとき、該空洞は該軸方向開口の近くで拡大する。
‐該内側部分の管状壁は、該突起から距離を置いて形成された外側肩部を有する（該内側部分の領域の中の該外側肩部の配置により、誤って使用者の指を挟んでしまうことを避けることができ、該押圧装置が、芯を前進させるのに十分である範囲より先には、前部分にスライドするのを阻止することができる）。
‐該突起は、該管状壁の周囲を、該内側部分から連続して延びる環状のリブである（この配置により、該内側部分の半径方向の圧力が最小化され、該押圧装置の保持が特に効果的になる。さらに、この構成により、本体の後端と該押圧装置の間の遊び部分を、大きく減らすことができ、これにより、外部の粒子（例えば砂粒）が挟まってしまう危険性が制限される）。
‐該管状体は、該長手方向軸の周囲を長手方向に延び、該押圧装置の長さより非常に長い（管状の）筒部と、該筒部の延長部に配置され、該タブを含む環状の保持壁を備える取り外し可能なクリップ保持部とを備えており、ここで、該押圧装置はこのクリップ保持部の中にスライド可能に取り付けられている（このようにして、該管状体の後端を形成する該クリップ保持部は、該筒部に固く連結されている芯貯蔵部に補充するために、必要であれば取り外すことができ、これは、該押圧装置の取り付け、または消しゴムの取り付けを妨げることなく行うことができる）。
‐該クリップ保持部は、該筒部の軸方向の該延長部に配置され、クリップを受けるのに適した後方片と、該長手方向軸の周囲を延びるほぼ管状であって、該筒部の中に同軸上に挿入された前方片とを含み、このとき該前方片は、該筒部に取り付けるための管状部分を含み、この管状部分は、外側ねじを備え、芯貯蔵部の周囲を、芯貯蔵部と距離をあけて延びている。
‐該前方片はさらに、管状取付け部の延長部に配置された、ほぼ環状の末端部分を備えている。ここで、該末端部分は、芯貯蔵部の周囲に配置された被覆管と接触する環状縁と、前記第一開口の内径よりも少なくとも３０％小さい内径を持つ軸方向孔を備えている。
‐該クリップ保持部は、該筒部の後縁と接触する外側肩部と、該押圧装置の該管状壁の上に形成された、外側肩部と軸方向において対向する内側肩部とを含む。該内側肩部は、止め部を形成するか、または該押圧装置が前方へスライドするのを止めるためのシステムを補完する（該押圧装置の外側肩部の内部構造により、本体の後端に取り付けられる外側要素によってスライドが阻害される危険性を取り除くことができる）。
‐該環状保持壁の長手方向スリットまたは隙間は、クリップ保持窓を形成し、ここで該クリップ保持部の該外側肩部は、この窓と該内側肩部との軸方向の間に、かつ前記内側肩部よりも該窓に対して近くなるよう位置している。
‐該窓または凹部は、該クリップ保持部の該内側肩部と、該押圧装置の該管状壁に形成された該外側肩部との間の距離よりも長い距離に亘って長手方向に延びている。
【図面の簡単な説明】
【００１５】
本発明のその他の特徴と利点は、以下に記載する、非限定的な実施例として提示される、本発明の一つの実施例の記述によって、添付された図面を参照することで明らかになるであろう。
【図１】押圧装置が静止状態であるときの、本発明によるシャープペンシルの後方部分の長手方向断面図である。
【図２】押圧装置が静止状態であるときの、本発明によるシャープペンシルの前方部分の長手方向断面図である。
【図３】図１のシャープペンシルの二つの構成要素を図示する側面図である。
【図４】図１において既に図示した構成要素を示す、長手方向断面の分解図である。
【図５Ａ】図１のシャープペンシルで使われる押圧装置の消しゴム保持部形成部分の長手方向断面図である。
【図５Ｂ】図５Ａの消しゴム保持部の上面図である。
【図６】図１のシャープペンシルの二つの構成要素の断面斜視図である。
【図７Ａ】シャープペンシルの筒部と消しゴム保持部との間の中間構成要素を形成するクリップ保持部の長手方向断面図である。
【図７Ｂ】図７Ａの中間構成要素の横断面図である。
【発明を実施するための形態】
【００１６】
異なる図面において、同一の参照記号は同一のまたは同様の構成要素を指し示す。
【００１７】
図１及び図２を特に参照すると、シャープペンシル１は管状体２を備え、該管状体は後端２ａと前端２ｂとの間を、長手方向軸Ｘに沿って延びている。管状体２の前端２ｂは、ポイント３によって画定されている。穴３ａと開口３ｂが、ポイント３に備えられ、芯保持ポイント４がスライドすることを許すものである。周知の方法においては、芯５の破損を防ぐために、芯保持ポイント４は、飛び出ている芯５に沿うものである。
【００１８】
押圧装置６は、管状体２の後端２ａの中に形成された第一開口７を通って取り付けられている。この押圧装置６は、外側に向かって軸方向に向いている作動面６ａを有している。この押圧装置６は、芯５の前進を作動させるための押し下げられた位置と、スプリング８または類似の弾性復元手段の力による初期状態で取られる後退位置との間を、長手方向軸Ｘに対して平行にスライドするように取り付けられている。図１及び図２は、押圧装置が後退位置を取っている、使用時の構成のシャープペンシル１を図示している。
【００１９】
図１及び図４において明らかに示されるように、押圧装置６は消しゴムＥと、消しゴムＥを格納するための一つの部品から成る消しゴム保持部Ｈと、消しゴムＥを覆うためのキャップ９とを含んでいる。消しゴム保持部Ｈは、第一開口７を通って管状体２に挿入され、かつ押圧装置６を導くための管状体２と接触する内側部分１１を含んでいる。消しゴム保持部Ｈはまた、内側部分１１を延長し、かつ消しゴムＥを格納するための空洞１３を画定するように、底部１２ａから後方開口１２ｂまでの長手方向軸Ｘの周囲をほぼ環状に延びる壁を有する取り付け部材１２を含んでいる。この取り付け部材１２は消しゴム保持部Ｈの外側部分の一部である。
【００２０】
押圧装置６の外側部分１０は、ここではキャップ９と、消しゴムＥと、消しゴム保持部Ｈの外側部分とを含んでおり、芯５の繰り出し機構１５のための作動ボタンを形成している。
【００２１】
図１及び図２を参照すると、芯５の繰り出し機構１５は、ここでは管状体２の中に配置され、
‐長手方向軸Ｘに対して平行にスライドする押圧装置６と、
‐管形状であって長手方向軸Ｘの周囲を延びる、一またはそれ以上の芯を格納するための芯貯蔵部１６と、
‐締付位置において芯５を締め付けることができ、管状体２の前端２ｂの側面に位置するチャック１７であって、管状部分と周知の構成によるヘッド１７ａを備えているチャック１７と、
‐芯５を固定するための締付リング１８ａを有する締付部材１８であって、ここでは周知の方法により、チャック１７を取り囲んでいる、締付部材１８と、
‐圧縮された状態（らせん状の圧縮スプリング）にあり、芯貯蔵部に接して支えられている後端８ａと、締付部材１８の内側肩部に接して支えられている前端８ｂとの間を延びるスプリング８とを含む。
【００２２】
図１及び図２において明らかに示されるように、芯貯蔵部１６は、よって押圧装置６とスプリングとの間を延びている。芯貯蔵部１６は、ほぼ円筒形状で、管状体２の中に同軸上に配置されている。芯貯蔵部１６の後端１６ａは、押圧装置６の内側部分１１によって囲まれている。この内側部分１１は（押圧装置６と芯貯蔵部１６の間の、関連する軸方向の動きの可能性を阻止することによって）芯貯蔵部１６のための保持機能を提供することが理解される。芯貯蔵部１６の前端１６ｂは、チャック１７の管状部分へと固定され、押圧装置６が前端に向かってスライドする際に、締付位置へと、このチャック１７を動かすのに役立つ。管状体２の前端２ｂに形成された内側止め部Ｂは、チャック１７が、周知の方法によって芯５の締め付けるのを弱めている間に、チャック１７が前進し続けられるよう、締付部材の前進を選択的に止めるのに役立つ。スプリング８が、押圧装置６及び芯貯蔵部１６に働く圧力に対して、弾性的復元力を発揮するために、チャック１７は、図２に示されるように、元の位置に戻り、芯５は再び緊密に保持される。
【００２３】
引き続き図２を参照すると、筆圧を弱めるための追加のスプリング１９を、締付部材１８と、管状体２の筒部２０の中に並進移動するように設定され、かつ芯貯蔵部１６の周囲に配置された被覆管２１との間に備え付けてもよい。
【００２４】
シャープペンシルの前端領域における繰り出し機構１５の運動学はこれ以上は記述しない。本発明は、それよりむしろ、管状体２の後端における押圧装置６の組み込みが重要であるからである。
【００２５】
図１、図３、図４、及び図５Ａを参照すると、消しゴム保持部Ｈの外側部分は、特にコンパクトで、外側肩部も喉部も備えないことがわかる。押圧装置６が取る後退位置では、消しゴム保持部Ｈの長さの約６０〜６５％が、管状体２の内側に位置しており、これにより、シャープペンシルが後端２ａの領域で把持されている時、消す作業がより容易となる。
【００２６】
図４及び図５Ａを参照すると、消しゴム保持部Ｈの前部分によって形成された、押圧装置６の内側部分１１は、芯貯蔵部１６の後端１６ａの緊密な取り付け（摩擦を伴う取り付け）に役立つ内側表面ｆ１と、半径方向外側に少なくとも一つの突起２２が突き出る外側表面ｆ２とを備える管状壁を備えている。この突起２２は、ここでは、内側部分１１の管状壁の周囲に連続的に延びる環状リブである。このリブは、好ましくはほぼ平面かつ長手方向軸Ｘに対して垂直である面を後部に有している。この環状リブは、ここでは円筒形状であり、スリットはなく（完全なリブ）、このため半径方向には変形せず、非常に堅く曲がらない。消しゴム保持部Ｈはプラスチックでできているため射出形成が可能であり、組立時には内側部分１１を僅かに圧迫するのに役立つ。
【００２７】
内側部分１１の中には、長手方向リブ２３が備えられており、これは芯貯蔵部１６の後端１６ａと摩擦接触するため、管状壁の内側表面ｆ１の上に形成されている。これら複数のリブ２３のそれぞれは、斜角の先細形状の前端２３ａを有している（リブ間に形成された溝は前方に向かって拡大している）。二つの連続するスロープは、内側表面ｆ１の上に形成されることができ、第一のスロープ２４は、より急勾配であって、内側部分１１の前端に向かって延びており、第二のスロープ２５は、これより傾斜が緩く、リブ２３の前端２３ａによって画定されており、ここでは突起２２とリブ２３の移行帯２３ｂとの間を延びている。そのため、管状壁によって区切られた空洞２６は、軸方向開口２７の近くで拡大する。消しゴム保持部Ｈにおいて、空洞２６は、取り付け部材１２の底形成面２８から軸方向開口２７に向かって、軸方向前方に延びるものであることが理解される。芯貯蔵部１６の後端１６ａは、空洞２６の中に入り底部２８まで押し下げられ、ここで内側部分１１の長さの半分以上の上に亘って締め付けられ、そのため第一開口７の領域の上に見えることになる。
【００２８】
ここで、図１、図３、図４、図６、図７Ａ及び図７Ｂを参照すると、管状体２の後端２ａは、筒部２０に延びるクリップ保持部３０によって形成されていることがわかる。クリップ保持部３０は、管状筒部２０の後端において形成された後縁２０ａと接触する、外側肩部３０ａを含んでいる。この一体成形型のクリップ保持部３０は、押圧装置６の長さよりも長くすることができ、筒部２０の長さよりもかなり短く、クリップＣの長さよりも僅かに短い。クリップ保持部３０は、押圧装置６を保持するための環状壁３１を含む。好ましさはやや劣る変形例において、押圧装置６を取り付けるのに役立つ、一体成形クリップのない部品をクリップＣの代りに用いることができる。
【００２９】
図１及び図４において明らかに示されるように、クリップ保持部３０は、ねじまたはその他の取り付け手段によって筒部２０の上に取り付けられ、そのため、クリップ保持部３０が取り外されているとき、押圧装置６は筒部２０から独立させることができる。クリップ保持部３０のねじ構造において、クリップ保持部３０は筒部２０に対して（肩部３０ａと筒部の周縁２０ａとの間の接触を伴って）固定されており、シャープペンシル１の管状体２の後端２ａを画定している。図示された例において、押圧装置６保持のための環状壁３１は、消しゴム保持部Ｈが、図１に示される後退位置と、芯５の繰り出しを作動させる前進位置との間を、スライドすることを可能にするものであって、ここで、消しゴム保持部Ｈの内側部分１１は、クリップ保持部３０の内側肩部３０ｂに接する止め部となる。この内側肩部３０ｂは、消しゴム保持部Ｈの管状壁の外側表面ｆ２の上に形成された外側肩部１１ａと係合することにより、押圧装置６の前方へのスライドの止め縁部を形成してもよい。クリップ保持部３０のねじ３０ｃは、ここでは筒部２０の中に形成された雌ねじ２０ｃと係合する雄ねじであるが、肩部３０ａと３０ｂよりも前方に、しかし末端部３０ｄからは離れた位置に、形成されている。
【００３０】
図３から６を参照すると、ここでは環形状である突起２２が、内側肩部３０ｂの近くの環状保持壁３１と一体的に形成された前方タブＲ１及びＲ２に接して止まるときに、消しゴム保持部Ｈは後退位置となる。タブＲ１及びＲ２の前方表面Ｓ１、Ｓ２は好ましくは平坦でかつ長手方向軸Ｘに対して直角である。図６において明瞭にわかるように、二つのスリット３１ｂ及び３１ｃは環状保持壁３１の内側表面３１ａの上に形成されている。より詳しく述べると、これらスリット３１ｂ及び３１ｃは、リブ３２及び３３を通して形成され、半径方向内側に開口しており、環状突起２２と掛け合わせるのに役立つものである。リブ３２、３３のそれぞれの各後端は、押圧装置６の後方へのスライドを阻止するタブＲ１またはＲ２を形成し、これにより同時にスプリング８は圧縮された状態を維持する（図２に明示）。各スリット３１ｂ及び３１ｃは、ここではタブＲ１、Ｒ２の幅と同じ長さの幅を有することが理解される（例えば、２ｍｍ幅）。二つのリブ３２、３３はそれぞれ、関連したタブＲ１またはＲ２から前端３２ａ、３３ａまで、長手方向軸Ｘに対してほぼ平行に延びている。タブＲ１及びＲ２は、同一の円周方向領域に（内側肩部３０ｂから同一の軸方向距離をおいて）配置されており、好ましくは、直径方向に対向している。
【００３１】
ここで、スリット３１ｂ、３１ｃは、長方形であって（芯貯蔵部１６の外径Ｄ１よりも小さい一定の幅、例えば２ｍｍを有する）、また各スリットは、消しゴム保持部Ｈの、最も前進した位置と後退位置との間の並進移動距離よりも大きい長さを有する。タブＲ１、Ｒ２はそれぞれ、スリット３１ｂ、３１ｃの後縁を画定し、環状部分３１の内側表面３１ａの残り部分に対して半径方向内側に突出している。換言すれば、これらのタブＲ１、Ｒ２はそれぞれ、関連するスリット３１ｂまたは３１ｃそれぞれと同程度に狭く、このため押圧装置６と管状体２をより容易に掛け合わせることができる。実施する変形例では、より幅広の長手方向開口が備えられてもよい。
【００３２】
図１、３、及び６を参照すると、スリット３１ｂ、３１ｃは、クリップ保持部の内側肩部３０ｂと、押圧装置６の管状壁の上に形成された外側肩部１１ａとの間の距離ｄよりも長い距離ｄ１を、長手方向に延びている。この構造により、リブ３２、３３の後部に形成された止め部Ｒ１、Ｒ２に対して環状突起２２が接触している際、後方へのスライドのみが止められるため、環状方向に非連続的なリブ３２、３３は押圧装置６の前方へのスライドを阻止することはなく、管状体２の内側で押圧装置６が保持されることを可能にする。
【００３３】
図１、図２、図６から図７Ｂを参照すると、管状体２の内側の繰り出し機構１５の押圧装置６の保持は、単純に、スリット３１ｂ、３１ｃに沿ってスライドする突起２２と、環状保持壁３１の内側表面３１ａの上に形成された二つの固いタブＲ１、Ｒ２との間の係合によって、クリップ保持部３０により可能になるということは、留意すべきである。突起２２は、好ましくは掛け合わせリブの形状に形成され、０．２ｍｍという非常に低い高さであり（スライド中、タブＲ１、Ｒ２と対向する表面ｆ２のほぼ円筒形状の表面に対して計測された半径方向の高さ）、より一般的には、消しゴム保持部Ｈの組み立て時に二つの保持タブＲ１、Ｒ２の上を通過できるよう０．６ｍｍ以下である。この高さは、後方への動きの際、これらのタブＲ１、Ｒ２に接して止まるのに十分な高さであり、これにより消しゴム保持部Ｈは、クリップ保持部３０から抜けることがない。
【００３４】
図５Ａには、突起２２によって画定された外径Ｄ５が、クリップ保持部３０の軸方向通路の後方開口の中に形成された直径Ｄ７（図７Ａ）にほぼ相当する消しゴム保持部Ｈのより大きな直径よりもかなり小さいことが示されている。同じく、この直径Ｄ５は、保持力を提供する二つのタブＲ１、Ｒ２間の分離距離Ｌ５（図７Ｂ）よりも僅かに大きい。一例として、この二つの寸法の差は０．５ｍｍか、それ以下である。
【００３５】
好ましい実施例において、及び図３、図４、図６及び図７Ｂに示されるように、スリット３１ｂ、３１ｃと環状保持壁３１は、クリップ保持部３０のための窓を形成し、外側肩部３０ａよりも前方に位置している。この外側肩部３０ａは、後方へより遠くに位置する内側肩部３０ｂよりも、窓に対しより近くにある。窓が備えられたクリップ保持部３０は、リブ３２、３３を備えるスリット３１ｂ、３１ｃの干渉を考慮すると、射出成形によるのが得やすいであろう。図３及び図６に明瞭に示されるように、外側肩部３０ａから延びる窓は、クリップ保持部３０の外側ねじ３０ｃと干渉するのに十分な長さである（対応するねじは分断されている）ことが留意されるべきである。外側ねじ３０ｃの位置は、ねじ係合がより容易になるよう、外側肩部３０ａに比較的近くにある。
【００３６】
図４、図６から図７Ｂを参照すると、クリップ保持部３０は、ほぼ管形状であり、
‐筒部２０の軸方向延長部の中に位置し、周知の方法によってクリップＣを取り付けるための取り付けソケット３５を備える後方片３４と、
‐長手方向軸Ｘの周囲を延びるほぼ管形状であって、筒部２０の中に同軸上に挿入される前方片３６とを備えている。
【００３７】
クリップ保持部３０の前方片３６は、筒部２０への取り付けのための管状部３６ａを含み、管状部３６ａは外側ねじ３０ｃを含み、芯貯蔵部１６の周囲を、距離を空けて延びている。末端部３０ｄは、ほぼ環状形状をしており、管状取り付け部３６ａの延長部分の中に配置されている。末端部３０ｄは、芯貯蔵部１６の周囲に配置された被覆管２１と接触する環状縁と、管状取り付け部３６ａによって画定された通過断面積と比べて小さい円形断面を有する軸方向孔３７とを有する。一例として、軸方向孔３７は、第一開口７の内側直径Ｄ７よりも少なくとも３０％小さい内側直径Ｄ２を有する。これにより、クリップ保持部３０は、（直径Ｄ２よりもわずかに小さいＤ１を有する）狭い芯貯蔵部１６の通路のための前方部と、より大きな消しゴム保持部Ｈの通路のための後方部との間を、通路のための断面積を大幅に変えるのに役立つものである。
【００３８】
図５Ａ及び図６から図７Ｂを参照すると、環状保持壁３１は、例えば、後方片３４と前方片３６の間の接合帯に配置され、外側肩部３０ａの両側まで延びている。このため、タブＲ１、Ｒ２は後方片３４の中に配置され、一方でスリット３１ｂ、３１ｃは前方片３６の中に配置される。この位置付けによって、消しゴム保持部Ｈは、（消しゴム保持部Ｈの最も大きな部分によって）後方片３４の内側表面３４ａに対してもスライドすることができ、（環状突起２２によって）環状保持壁３１の上に形成されたその他の内側表面に対してもスライドすることができ、長手方向軸Ｘに沿った並進移動ガイドを向上させるものである。
【００３９】
図４、図６、及び図７Ａの実施例では、リブ３２、３３は、クリップ保持部３０の末端部３０ｄに隣接した前端３２ａ、３３ａを有していることがわかり、これら前端は、クリップ保持部３０の前方片３６を著しく強固にしている。
【００４０】
図１、図５Ａ、及び図５Ｂの実施例では、消しゴム保持部Ｈは、一方の側（前方）は空洞２６の底部２８を画定し、他方の側（後方）では、消しゴムＥを格納するための空洞１３の底部１２ａを画定している、横断壁４０を備えていることがわかる。この横断壁４０の中には、好ましくは中央に、軸方向通路孔４２が形成されており、これは管状体２の外側から芯貯蔵部１６へのアクセスを提供するものであり、この中に芯を挿入するためのものである。ここで、通路孔４２は、芯貯蔵部１６の中に直接開口している。
【００４１】
図１を参照すると、消しゴムＥは、後退している時にあっては、静止位置において、管状体２によって画定された内部体積からは完全に外側で保持されていることがわかる。スプリング８は、この静止位置を達成すべく、タブＲ１、Ｒ２の表面Ｓ１、Ｓ２の上の突起２２の領域と係合することになる押圧装置６を後方にあるよう強制するものである。この静止位置において、すなわち押圧装置６をなんら作動させることなく、芯５は固定された状態になる。
【００４２】
図１、図４、及び図６を参照すると、キャップ９はエラストマー製の消しゴムＥを受けることができ、このキャップ９の内側表面に形成された内側肩部９ａは、例えば、消しゴム保持部Ｈの環状縁１２ｃに対して係合する。この環状縁１２ｃは、ここでは取り付け部材１２の開口１２ｂを取り囲んでいる。消しゴムＥは、取り付け部材１２の空洞１３の中に、周知の方法、例えば、底部１２ａから開口１２ｂの近くまで、長手方向軸Ｘに対して平行である方向に延びる内側リブ１２ｄによって固定されている。消しゴムＥの把持力をもたらすために、一つまたはそれ以上の内側リブが、キャップ９の側面に形成されてもよい。
【００４３】
図１を参照すると、押圧装置６の作動面６ａに圧力を加えることによって、押圧装置６の前方への移動は、距離ｄと同じか、またはそれより僅かに少ない距離であってもよい距離を超える結果となる。芯保持点４の後方表面４ａは、例えば、押圧装置６の前方へのスライドを停止させる、チャック１７のヘッド１７ａの前進を止めるのに役立つ軸方向止め部を形成する。前方へのスライドが終わると、肩部１１ａは内側肩部３０ｂの近くに位置し、ほぼその上に静止するように位置している。肩部１１ａと３０ｂは、前方へのスライド停止システムを補足する物または補完する物である。
【００４４】
芯貯蔵部１６とチャック１７から形成される組立品が、押圧装置６と同時に前進するため、芯５は、管状体２の点３と、芯保持点４に対して、いくぶんかの距離を前進することもできる（該芯保持点は、芯保持点４と芯５の間の摩擦力よりも大きい随伴した摩擦力によって、点３の穴３ａの中で固定されている）。しかしながら、芯５の前進距離は、締付部材１８に対して前方にオフセットしているために、チャック１７の前方への移動のほぼ中間で起こるチャックのヘッド１７ａの緩まりによって、距離ｄよりも小さくなる。芯保持点４と芯５の間の摩擦力は、よって、芯貯蔵部１６とチャック１７と協働する押圧装置６の前進が終わっている間、芯５を適切な位置に維持するのに十分である。
【００４５】
使用者が押圧装置６の圧力を緩めると、スプリング８は芯貯蔵部１６と、チャック１７と、押圧装置６とを後方に押し戻す。チャック１７のヘッド１７ａは、この戻り動作の長さほぼ全体にわたって開口しているため（ヘッド１７ａは、芯５に対して非締め付け構造をしているため）、芯５は非常に小さな戻り動作しか行わない。この戻り動作の最後には、図１に示されるように、繰り出し機構１５の組み立て品は、静止位置に戻り、チャック１７のヘッド１７ａは、芯５の上で再び固定される。
【００４６】
使用者が、消す作業をするためにシャープペンシル１を使おうとするときは、使用者は、クリップ保持部３０によって形成された比較的大きな把持部４５を掴む。図７Ａ及び図７Ｂからわかるように、クリップ保持部３０の外径Ｄ３は、末端部側３０ｄに形成された内径Ｄ２の２倍以上であってよく、このサイズ設定により、通常、より効果的な、力を込めた消し作業をするのに役立つ、より大きな把持力を込めるのに役立つものである。さらに、把持部４５が消しゴムＥに対して近くにあることによっても、消す作業を容易にするものである。非限定的な実施例において、クリップ保持部３０の前方片３４の後方の直径Ｄ４は、１０ｍｍであってよく、直径Ｄ３は、直径Ｄ４よりもわずかに小さい、例えば９ｍｍであってもよい。そのような寸法により、管状体の後部の直径がわずか６ｍｍである従来のシャープペンシルと比較して、消す作業の効率にとって有利となる。さらに、この構成は、約６ｍｍの直径を有する標準的な形の消しゴムＥを用いることを妨げるものではない。
【００４７】
本発明の有利な点は、例えば、消しゴムＥを管状体２の後端２ａの近くに配置する可能性もある、シャープペンシル１の後ろ部分の堅牢性と人間工学性にある。
【００４８】
これまで記述された各実施例及び各実現詳細は、独立して、または組み合わせて使用されうることが理解される。さらに、クリップ保持部３０と消しゴム保持部Ｈを形成する部品は、望ましい応用例では、異なる外観を有していてもよい。よって、取り付け部材１２はあるいは取り除かれてもよく、クリップＣが別に取り付けられ、及び／又は、クリップ保持部３０が、押圧装置６と筒部２０の間のクリップなしで、中間要素によって置き換えられてもよい。それゆえ、この分野に熟知している人間にとり、本発明は、請求された本発明の出願の領域から逸脱しない範囲で、その他多くの特定の形状による実施例を提供することが、明らかである。
【符号の説明】
【００４９】
１  シャープペンシル
２  管状体
２ａ  後端
２ｂ  前端
３  点
３ａ  穴
３ｂ  第二開口
４  芯保持点
５  芯
６  押圧装置
６ａ  作動面
７  第一開口
８  スプリング
８ａ  後端
８ｂ  前端
９  キャップ
１０  外側部分
１１  内側部分
１１ａ  外側肩部
１２  取り付け部材
１２ａ  底部
１２ｂ  後方開口
１２ｃ  環状縁
１２ｄ  内側リブ
１３  空洞
１５  繰り出し機構
１６  芯貯蔵部
１６ａ  後端
１６ｂ  前端
１７  チャック
１７ａ  ヘッド
１８  締付部材
１８ａ  締付リング
１９  追加のスプリング
２０  筒部
２０ａ  縁
２０ｃ  雌ねじ
２１  被覆管
２２  突起
２３  リブ
２３ａ  前端
２３ｂ  移行帯
２４  第一のスロープ
２５  第二のスロープ
２６  空洞
２７  軸方向開口
２８  底部
３０  クリップ保持部
３０ａ  外側肩部
３０ｂ  内側肩部
３０ｃ  ねじ
３０ｄ  末端部
３１  環状壁
３１ａ  内側表面
３１ｂ  スリット
３１ｃ  スリット
３２  リブ
３２ａ  前端
３３  リブ
３３ａ  前端
３４  後方片
３６  前方片
３６ａ  管状取り付け部
３７ 軸方向孔
４０ 横断壁
４２ 通路孔
４５ 把持部
Ｄ１  直径
Ｄ２  直径
Ｄ３  直径
Ｄ４  直径
Ｄ５  直径
Ｄ７  直径
Ｌ５  分離距離
Ｓ１  表面
Ｓ２  表面
Ｒ１  タブ
Ｒ２  タブ
Ｘ  長手方向軸
ｄ  距離
ｆ１  内側表面
ｆ２  外側表面
Ｃ  クリップ
Ｅ  消しゴム
Ｈ  消しゴム保持部
【図１】
2015513490.tif 000003
【図２】
2015513490.tif 000004
【図３】
2015513490.tif 000005
【図４】
2015513490.tif 000006
【図５Ａ】
2015513490.tif 000007
【図５Ｂ】
2015513490.tif 000008
【図６】
2015513490.tif 000009
【図７Ａ】
2015513490.tif 000010
【図７Ｂ】
2015513490.tif 000011
【国際調査報告】
2015513490.tif 000012
2015513490.tif 000013
2015513490.tif 000014
2015513490.tif 000015
2015513490.tif 000016
2015513490.tif 000017